(57)【要約】      （修正有）【課題】着用した時、息苦しさや熱中症を緩和できるマスクを提供する。【解決手段】マスク内側上端部に細長い台形状の両面テープ５と面ファスナー６を貼着し、開閉自在な排気弁を持つ、短いチューブ１２を両鼻翼に当接するよう配置した。マスク中央部より外気を吸引し、息を吐いた場合には、開閉自在な弁を持つ短いチューブを介して、息が排出する。弁が開放するので、マスク内の息がほとんど外気に排出され、マスク内に息が籠ることがなく、息苦しさの軽減と熱中症の緩和に役立つ。【選択図】図１
0003228819.tif 000002
【実用新案登録請求の範囲】
【請求項１】
鼻の鼻翼及び鼻唇溝と同じくらいの幅の細長い台形状のテープに短いチューブを１本あるいは複数本を取り付ける台を固定し、前記チューブの上端部に開閉自在な弁を設け、排気弁体を形成したことを特徴とするマスク用取り付け排気弁。
【請求項２】
請求項１のチューブ取り付け台及び細長い台形状のテープを一体化したことを特徴とするマスク用取り付け排気弁。
【請求項３】
請求項１の細長い台形状のテープ、チューブ及び取り付け台を一体化したことを特徴とするマスク用取り付け排気弁。
【請求項４】
請求項１に示す細長い台形状のテープを除いた、排気弁だけを鼻翼及び鼻唇溝に当接するようマスクに取り付けたことを特徴とするマスク用取り付け排気弁。
【考案の詳細な説明】
【技術分野】
【０００１】本考案は、どんなマスクにも取り付け可能な、マスク用取り付け排気弁に関するものである。
【背景技術】
【０００２】  従来のマスクにおいて、マスクを装着しての作業や運動では、息苦しさを感じていた。
【考案の概要】
【考案が解決しようとする課題】
【０００３】  従来一般的な不織布のマスクを着用した場合や医療用のマスクにおいて、特に運動時、高い外気温、また、子供や幼児では、マスク内に吐いた二酸化炭素を再吸入することで、息苦しさや熱中症の原因となる欠点を解決しようとするものである。
【課題を解決するための手段】
【０００４】  本考案は、従来あるマスクの口や鼻を覆う側の上端部に開閉自在な弁を持つ、短いチューブを両鼻翼及び鼻唇溝に当接するよう配置された、排気弁を貼着し、当該マスクを装着すると、外気を吸引した場合には、該マスク中央部より吸入され、息を吐いた場合には、当該マスク内に息が籠ることなく、前記開閉自在な弁を持つ短い中部を通過して、該弁を開放するので、楽にマスク内の息が外気に排出され、前述の問題点を解決している。
【考案の効果】
【０００５】  上述の様に、両鼻翼及び鼻唇溝に当接するよう弁を持つ排気弁をマスク上部に配置し貼着したことで、外気を吸引して息を吐く時、マスク内に該息が籠ることなく、マスク内の吐いた息が、前記排気弁を通って弁を開き、外気へと抵抗なく排気することが出来たので、息苦しさの軽減と熱中症の緩和などに役立つ。【０００６】また、当該排気弁は繰り返し使用できる粘着テープや面ファスナーで取りつけられているので、マスクの交換時には、排気弁を簡単に取り外し、洗浄して交換できるので、衛生的にも役立つ。
【図面の簡単な説明】
【０００７】
【図１】  本考案の弁付きチューブを持つ排気弁をマスクに取り付けた状態と該排気弁の分解図の一実施例である。
【図２】  本考案の弁付きチューブを持つ、一実施例の正面図である。
【図３】  図１の背面図である。
【図４】  図２の平面図である。
【図５】  図１に示すＡ−Ａ断面図である。
【図６】  排気弁全体の斜視図である。
【図７】  排気弁全体を該排気弁より大きなシートを貼着し、マスクに熱溶着で固着した一実施例である。
【図８】  排気弁だけをマスクに貼着した一実施例である。
【図９】  図１に示す左右の排気弁を固定する台を一体成形したものである。
【図１０】図１に示す排気弁チューブを３連にして、チューブ固定台と連結テを一体化した一実施例である。
【図１１】前記排気弁のチューブの断面形状を一例として長円形、逆三角形、少し大き目の円形等の一実施例である。
【考案を実施するための形態】
【０００８】従来のマスクの鼻や口を覆う側の上端部に、両鼻翼及び鼻唇溝に当接するよう開閉自在な弁を短いチューブ上端面に持つ、排気弁を前記マスク上端部に貼着したマスクを装着すると外気を吸引する場合は、該マスク中央部より吸引し、息を吐く時は、吐いた息の大部分が、前記排気弁を介して、外気へと排気され、マスク内には、吐いた息がほぼ籠ることなく外気へ排出されるので、マスク内には、吐いた息のほとんどが外気に排出されることとなる。
【実施例】
【０００９】以下添付図面に従って説明すると、本考案の一実施例として図１から図６までで詳しく説明する。【００１０】図１で示す、耳掛け紐３を持つ一般的な不織布のマスク２に（ｂ）において、マスク内側４の破線で示すＡ付近に貼着するための細長い台形状の両面粘着テープ５に該両面粘着テープ５と同じ形の裏面は粘着付きの面ファスナー（ループ）６を貼着し、二連のチューブ１２を嵌合固着する取り付け台８の裏側に図１（ｂ）で示す、内側が粘着で前記面ファスナー（フック）６と相対する面ファスナー（フック）７が貼着され、二連のチューブ１２が前記チューブ取り付け台８にチューブ１２が半円状の凹部１１にそれぞれ接着剤で固着する。【００１１】上記で構成された左右にある排気弁１Ａ及び１Ｂは、前記チューブ１２を固定した取り付け台８の裏面に面ファスナー（フック）が貼着され、チューブ１２の開閉可能な弁９からなり、排気弁体全体１をマスク２の内側４の上端中央部に取り付けた状態全体１０が図１（ａ）である。【００１２】このよう排気弁付きマスク１０を装着して呼吸をすると、図１（ａ）に破線で示すＢの付近から外気を吸引し、息をマスク内４に吐くと、前記Ｂ部分からも外気へ排出されるが、高密度の不織布では、マスクの左右側と下側は顔と密着するようになっているので、前記チューブ１２の吸入口１６から排出口１５へと通気し、弁９は開放され、息のほとんどが外気へと排出される。【００１３】本考案の一実施例として、図１の様に構成されているので、排気弁体全体１は、繰り返し使える両面粘着テープ５であるため、マスク２の内側４のＡの部分から簡単に取り外せ、また、排出弁１Ａ、１Ｂは、前記粘着テープ５と同じ大きさの面ファスナー（ループ）で、係止されているので、排出弁１Ａ、１Ｂは容易に分離できる。【００１４】図５は、図２で示すＡ−Ａ断面図を示し、図６は、排気弁体全体１の外気側から見た斜視図である。【００１５】以上の様に本考案の一実施例は構成されているので、図１（ａ）で示すように本考案である排気弁体全体１を取り付けたマスク全体１０を装着して呼吸すると、外気をマスク２のＢ付近から吸引し、息を吐くとマスク２から多少排出されるが、ほとんどの息は、前記排気弁１Ａ、１Ｂから楽に排出され、前記２連のチューブ１２は、鼻の鼻翼、鼻唇溝と密着しているので、マスク内４に吐いた息はほとんどマスク４の外に排出されるので、吐いた息はマスク内４に籠ることなく、次に呼吸すると外気の新鮮な空気を吸引することになる。【００１６】他の実施例の一例を図７で示し、前記排気弁体全体１の両面粘着テープ以外の本体部分を一体成形して、細長い台形状の２連の通気路３１の上端部３５に弁３３を接着し、転結ぶ３２が一体化した排気弁全体３０を形成し、排気口３４から息を外気へ排出する。【００１７】次に、図７に示す斜視図は、本考案である排気弁体全体１より大きな相似形の台形状のシート５０をマスク２の内側上端中央部に固着手段の一例として熱溶着５１で熱圧着して耳掛け紐３を持つマスク２に取り付けた状態である。【００１８】図８では、前記本考案である排気弁体１Ａ及び１Ｂだけをマスク２の鼻の両鼻翼脇に当接するよう配置して貼着したもので、マスク内側４に接着剤、面ファスナーで係止されている。【００１９】図９で示す図は、前記排気弁体全体１を例えばシリコンゴムや柔軟なゴム等の材質で一体化した排気弁体全体３０を示すもので、２連の排気チューブ状３１の通路３４をそれぞれ左右に設け、通路３４を開閉する弁３３を上端面部３５に接着され、排気弁体全体３０を構成する。【００２０】図１０は、他の一実施例として、本考案の一実施例の２連のチューブ１２を左右３連にしたチューブ４４を取り付ける台４２に３連の半円形状の凹部４５を左右に設け、前記取付け台４２は転結部４７と一体成形されている。【００２１】該連結部４７の下方には、装着した時、鼻背に当たらないよう切り欠き部４６が設けられ、前記チューブ取付け台４２の上端面部４８に弁４３が開閉自在に接着され、排気弁体全体４０を構成している。【００２２】前記チューブ取り付け台４２の材質は前記図９と同様に例えば、シリコンゴムや柔軟なゴム等から成形したものである。【００２３】図１１は、前記チューブの形態と形状の他の実施例の一部として、（ａ）では長円Ｌ、（ｂ）は、逆三角形状Ｔ、（ｃ）は、円形Ｓの形状の一例で、Ｗは、各自鼻の大きさや高さが異なるので、間隔を広くし、狭くして使用する。
例えば、鼻が大きく、高い場合には、Ｗの幅を広くして使用する。【００２４】以上、前述した通り、マスクに本考案である排気弁体１を取り付けることにより、マスクを着用して呼吸をすると、マスク内に吐いた息が、マスク及び当該排気弁体１からほとんどの息が外気へと排出出来、マスク内に吐いた二酸化炭素を再吸入させないこと出来たので、息苦しさや熱中症予防対策の軽減にもなることが出来た。
【図１】
0003228819.tif 000003
【図２】
0003228819.tif 000004
【図３】
0003228819.tif 000005
【図４】
0003228819.tif 000006
【図５】
0003228819.tif 000007
【図６】
0003228819.tif 000008
【図７】
0003228819.tif 000009
【図８】
0003228819.tif 000010
【図９】
0003228819.tif 000011
【図１０】
0003228819.tif 000012
【図１１】
0003228819.tif 000013